(57)【要約】      （修正有）【課題】大量生産が可能で、低コスト化及び省スペース化が図られた段ボール箱とまくらの両方の機能を合わせ持つ段ボール箱まくらを提供する。【解決手段】段ボール箱まくら１は、段ボール箱本体１０の側面１０ａに、放射線状の切り込み２１が形成された頭部支持孔２０を有する。段ボール箱本体の内部に、段ボールを略Ｚ字形に折り畳んでなるクッション板３０を有することが好ましい。【選択図】図１
0003207309.tif 000002
【実用新案登録請求の範囲】
【請求項１】
段ボール箱本体の側面に、放射線状の切り込みが形成された頭部支持孔を有することを特徴とする、段ボール箱まくら。
【請求項２】
前記頭部固定用孔を上にして載置した際の、段ボール本体の高さが、30〜100mmであることを特徴とする、請求項１に記載の段ボール箱まくら。
【請求項３】
前記放射線状の切り込みの長さが、50〜125mmであることを特徴とする、請求項１又は２に記載の段ボール箱まくら。
【請求項４】
前記段ボール箱本体の内部に、段ボールを略Ｚ字形に折り畳んでなるクッション板を有することを特徴とする、請求項１〜３のいずれか１項に記載の段ボール箱まくら。
【請求項５】
前記段ボール箱本体を構成する段ボールの厚さが、1〜8mmであることを特徴とする請求項１〜４のいずれか１項に記載の段ボール箱まくら。
【請求項６】
前記段ボール箱本体が、Ｂ式キャラメルタイプの段ボール箱であることを特徴とする請求項１〜５のいずれか１項に記載の段ボール箱まくら。
【考案の詳細な説明】
【技術分野】
【０００１】
本発明は、段ボール箱とまくらの両方の機能をあわせ持つ段ボール箱まくらに関する。
【背景技術】
【０００２】
地震等の災害が起こった際、被災者の元には種々の支援物資が提供されているこれらの支援物資については、例えば、日用品や、食糧、飲料、生理用品、娯楽品等がある。
このように、種々の支援物資が被災者の元に提供されるものの、優先順位の関係から不足している物資もある。
【考案の概要】
【考案が解決しようとする課題】
【０００３】
上述した不足している支援物資の一つとして、まくらが挙げられる。まくらがない場合、被災者は、雑誌を積み重ねたり、毛布等をまくらの代わりとして使用する場合もあり、寝心地の良いまくらの提供が望まれていた。
また、まくらの提供にかかる製造コストや、輸送コストを考えると、できるだけ低コストで、スペースをとらないまくらの開発が望まれていた。
【０００４】
上記課題を鑑みて、本発明の目的は、大量生産が可能で、低コスト化及び省スペース化が図られたまくらを提供することにある。
【課題を解決するための手段】
【０００５】
本考案者らは、上記課題を解決すべく鋭意研究を行った結果、段ボール箱を用い、該段ボール箱の側面に、特定の切り込みが形成された孔を設けることによって、まくらとして使用でき、寝心地についても問題がないことを見出した。また、段ボール箱まくらについては、大量生産が可能であり、製造コストを抑えることができ、折り畳むことで省スペース化を図れることも見出した。
【０００６】
本考案は、このような知見に基づきなされたもので、その要旨は以下の通りである。
本考案に係る段ボール箱まくらは、段ボール箱本体の側面に、放射線状の切り込みが形成された頭部支持孔を有することを特徴とする。
上記構成を具えることで、大量生産が可能で、低コスト化及び省スペース化が図られた段ボール箱まくらを提供できる。
【０００７】
また、本考案に係る段ボール箱まくらは、前記頭部固定用孔を上にして載置した際の、段ボール本体の高さが、30〜100mmであることが好ましい。寝心地をより向上できるためである。
【０００８】
さらに、本考案に係る段ボール箱まくらは、前記放射線状の切り込みの長さが、50〜125mmであることが好ましい。寝心地をより向上できるためである。
【０００９】
また、本考案に係る段ボール箱まくらは、前記段ボール箱本体の内部に、段ボールを略Ｚ字形に折り畳んでなるクッション板を有することが好ましい。寝心地をより向上でき、段ボール箱本体のへたりを防止できるためである。
【００１０】
さらに、本考案に係る段ボール箱まくらは、前記段ボール箱本体を構成する段ボールの厚さが、1〜8mmであることが好ましい。まくらの強度と寝心地を両立できるためである。
【００１１】
さらにまた、本考案に係る段ボール箱まくらは、前記段ボール箱本体が、Ｂ式キャラメルタイプの段ボール箱であることが好ましい。まくらの強度を確保でき、容易に作成できるためである。
【考案の効果】
【００１２】
本考案によれば、量生産が可能で、低コスト化及び省スペース化が図られた段ボール箱まくらを提供することが可能となる。
【図面の簡単な説明】
【００１３】
【図１】本考案の段ボール箱まくらの一実施形態を模式的に示した斜視図である。
【図２】本考案の段ボール箱まくらの一実施形態を模式的に示した展開図である。
【図３】本考案の段ボール箱まくらの頭部支持孔の２つの例を示した図である。
【図４】（ａ）は、本考案の段ボール箱まくら中に含まれるクッション板の一例を模式的に示した図であり、（ｂ）は、本考案の段ボール箱まくらにおけるクッション板の使用状態の例を模式的に図である。
【考案を実施するための形態】
【００１４】
本考案の段ボール箱まくらについて、図面を用いて説明する。
図１に示すように、本考案よる段ボール箱まくら１は、段ボール箱本体１０の側面１０ａに、放射線状の切り込み２１が形成された頭部支持孔２０を有することを特徴とする。
【００１５】
前記放射線状の切り込み２１が形成された頭部支持孔２０に、後頭部を載置するように使用することで、まくらとして使用でき、優れた寝心地を実現できる。
また、本考案の段ボール箱まくらは、段ボールからできているため、大量生産が可能であり、製造コストについても抑えることができる。
【００１６】
ここで、図２は、図１に示した本考案よる段ボール箱まくら１を展開したものであるが、このように展開した状態や、段ボール箱まくらを折り畳んだ状態にすることで、省スペース化も図ることができる。
さらに、本考案の段ボール箱まくらは、段ボール箱としても使用できるため、中に種々の支援物資等を入れた状態で輸送し、箱の中身を取り出した後、まくらとして使用することも可能である。
【００１７】
ここで、図３（ａ）及び（ｂ）は、前記段ボール箱本体１に形成された頭部支持孔２０の例を示したものである。図３（ａ）の頭部支持孔２０は、８本の放射線状の切り込みから構成され、図３（ｂ）の頭部支持孔２０は、６本の放射線状の切り込みから構成されている。
【００１８】
前記頭部支持孔２０を形成する前記切り込み２１については、放射線状に入れられており、後頭部を載置できるような孔を形成できるものであれば特に限定はされない。
前記切り込み２１の数は、まくらを使用者した人の後頭部にフィットして寝心地を向上させることができる点から、４〜１０本であることが好ましく、６〜８本であることがより好ましい。
また、前記切り込み２１の長さＲについては、まくらを使用する人の後頭部の大きさに合わせて変更することができる。一般的に、寝心地を向上させることができる点からは、50〜125mmであることが好ましい。
【００１９】
また、前記切り込み２１については、連続した切り込みであってもいいが、破線の切れ目を入れた切り込み２１であって、まくらとして使用する際に連続した切り込みとなるようなものでも良い。まくらとして使用する前の段階として、段ボール箱として使用する場合には、頭部支持孔２０が形成されていると、中身がこぼれおちるおそれもあり、使用後に頭部支持孔２０が形成できるようにするためである。
【００２０】
また、前記放射線状の切り込み２１については、図３（ａ）及び（ｂ）に示すように、それぞれの切り込み２１をつなぐ折り目２２を設けることができる。折り目を設けることで、前記頭部支持孔２０を綺麗に作ることができるためである。
さらに、使用者の好みに応じて、前記切り込み２１によって形成された段ボール箱切り込み片２３を箱から取り除き、図３（ａ）及び（ｂ）に示すように、前記頭部支持孔２０を、切り込み片２３のない孔とすることもできる。
【００２１】
なお、前記頭部支持孔２０が形成される段ボール本体１０の側面１０ａについては、どの段ボール箱本体１０のどの面であってもよい。段ボール箱本体１０の形状によって、前記頭部支持孔２０を設ける側面を変えることができる。ただし、まくらとしての寝心地向上や、強度を確保する点からは、図１に示すように、段ボール本体１０を構成する側面のうち、最も大きな側面１０ａに形成することが好ましい。
【００２２】
また、前記段ボール箱本体１０の寸法については、まくらとして使用できるものであれば特に限定はされない。ただし、より優れた寝心地を確保できる点からは、前記頭部固定用孔２０を上にして載置した際の、段ボール本体の高さＨが、30〜100mmの範囲であることが好ましく、40〜80mmの範囲であることがより好ましい。
【００２３】
ここで、本考案の段ボール箱まくらは、図１及び４に示すように、前記段ボール箱本体１０の内部に、段ボールを略Ｚ字形に折り畳んでなるクッション板３０を有することが好ましい。図４（ａ）は、クッション板の形状の一例を示したものであるが、略Ｚ時状の形状を有することで、弾力性を確保でき、まくらとしての寝心地性を向上できることに加え、前記クッション板３０が段ボール箱本体１０を支持するため、該段ボール箱本体１０のへたりを防止することができる。
【００２４】
図４（ｂ）は、クッション板３０を有する段ボール箱まくらの内部の状態を示したものであるが、前記クッション板３０は、前記頭部支持孔２０の下に設けることが好ましい。まくらとしての寝心地性を向上できるためである。
なお、前記クッション板３０の両脇には、図１及び図４（ｂ）に示すように、仕切り部材３１を設けることが好ましい。前記段ボール箱本体１０の内部空間１０ｂ、１０ｃ（図４（ｂ）を参照。）については、有効活用することが可能となり、例えば、生理用品やおむつ等の支援物資を詰めることができる。
【００２５】
さらに、前記段ボール箱本体１０を構成する段ボールの厚さについては、特に限定はされず、使用者の好みに応じて適宜選択することができる。例えば、まくらとしての強度を確保しつつ、寝心地を向上させる点からは、1〜8mmの厚さであることが好ましい。
【００２６】
なお、前記段ボール箱本体１０を構成する段ボール箱の種類については特に限定はされない。例えば、Ａ式、Ｂ式、Ｃ式、Ｎ式、ポスター式、たとう式等の段ボール箱を使用することができる。その中でも、前記段ボール箱は、Ｂ式の段ボール箱であることが好ましく、図１及び２に示すように、Ｂ式キャラメルタイプの段ボール箱であることがより好ましい。段ボール箱の組み立てが容易であることに加え、段ボール箱内部に支援物資等を入れやすく、さらに、まくらとしての強度を十分に確保できるからである。
【符号の説明】
【００２７】
１      段ボール箱まくら
１０    段ボール箱本体
１０ａ  段ボール箱本体の側面
１０ｂ、ｃ  段ボール箱本体内部の空間
２０    頭部支持孔
２１    切り込み
２２    折り目
２３    切り込み片
３０    クッション板
３１    仕切り部材
【図１】
0003207309.tif 000003
【図２】
0003207309.tif 000004
【図３】
0003207309.tif 000005
【図４】
0003207309.tif 000006